(57)【要約】      （修正有）【課題】呼び出しを受けた際に患者情報の詳細を表示することができる携帯端末を具備するナースコールシステムを提供する。【解決手段】制御機が患者の氏名、性別等の基本情報と、患者の住所、電話番号等の詳細情報とから成る患者情報を記憶する患者情報記憶部を有し、携帯端末が基本情報を表示する基本表示領域Ｅ１と、詳細情報を表示する詳細表示領域Ｅ２とに分けて患者情報を表示するディスプレイ４ａを有し、制御機ＣＰＵは、呼出信号を受けて呼出元のナースコール子機に関連付けられている携帯端末４を選択すると共に、呼出元のナースコール子機に関連付けられている患者情報を読み取り、選択した携帯端末４に対して呼出信号及び読み取った患者情報を送信する。呼出信号を受信した携帯端末４は、呼出通知動作を実施すると共にディスプレイ４ａに患者情報を表示する。【選択図】図５
2014171191.tif 000002
【特許請求の範囲】
【請求項１】
ベッド毎に設置されて患者が看護師を呼び出して通話するためのナースコール子機と、ナースステーションに設置されて前記ナースコール子機からの呼び出しに応答するためのナースコール親機と、看護師が携行して前記ナースコール子機からの呼び出しに応答するための複数の携帯端末と、前記ナースコール子機、前記ナースコール親機、前記携帯端末の間の通信を制御する制御機とを有するナースコールシステムにおいて、
患者の氏名、性別、部屋番号、ベッド番号を含む基本情報と、患者の住所、電話番号、感染症情報、食事制限情報を含む詳細情報とから成る患者情報を記憶する患者情報記憶手段を有すると共に、
前記制御機が、携帯端末と看護師を関連付けた携帯端末テーブル、及び看護師と患者を関連付けた担当看護師テーブルを記憶する看護師情報記憶部と、前記ナースコール子機が呼出操作されたら、前記ナースコール親機及び前記携帯端末に呼出信号を送信する呼出制御部とを有し、
更に前記携帯端末が、前記基本情報を表示する基本表示領域と、前記詳細情報を表示する詳細表示領域とに分けて患者情報を表示するディスプレイを有し、
前記呼出制御部は、前記呼出信号を受けて、呼出元の前記ナースコール子機に関連付けられている携帯端末を前記看護師情報記憶部の情報から選択すると共に、呼出元の前記ナースコール子機に関連付けられている患者情報を患者情報記憶手段から読み取り、選択した前記携帯端末に対して呼出信号及び読み取った患者情報を送信し、
呼出信号を受信した前記携帯端末は、呼出通知動作を実施すると共に、前記ディスプレイに患者情報を表示することを特徴とするナースコールシステム。
【請求項２】
前記詳細表示領域は第１領域と、第１領域より狭くピクトグラムを表示する第２領域とに分けて構成され、詳細情報のうちピクトグラムで記憶されている情報は一覧表示されることを特徴とする請求項１記載のナースコールシステム。
【請求項３】
個々の患者を撮像するためのカメラを具備すると共に、前記制御機が前記カメラと前記ナースコール子機とを関連付けたカメラテーブル記憶部と、呼出信号を受けて呼出元の前記ナースコール子機に関連付けられている前記カメラを選択して撮像映像を入手する映像制御部とを具備する一方、
前記携帯端末は、前記詳細表示領域に前記カメラ撮像映像を表示可能であって、前記ナースコール子機からの呼び出しを受けた後、応答者による所定の映像表示操作が成されたら、前記制御機からカメラ撮像映像を入手して前記詳細表示領域に表示することを特徴とする請求項１又は２記載のナースコールシステム。
【請求項４】
個々の患者を撮像するためのカメラを具備すると共に、前記制御機が前記カメラと前記ナースコール子機とを関連付けたカメラテーブル記憶部と、ナースコール子機からの呼び出しを受けて呼出元の前記ナースコール子機に関連付けられている前記カメラの撮像映像を入手する映像制御部とを具備する一方、
前記ナースコール子機が、患者が呼出操作する呼出ボタンと、看護師が呼出操作するスタッフコールボタンとを備え、
前記制御機の映像制御部は、前記スタッフコールボタンによる呼び出しを受けたら、呼出元のナースコール子機に関連付けられているカメラの撮像映像を入手して呼出先の前記携帯端末に送信し、
呼び出しを受けた前記携帯端末は、呼出通知動作を実施すると共に受信したカメラの撮像映像を前記詳細表示領域に表示することを特徴とする請求項１又は２記載のナースコールシステム。
【請求項５】
前記携帯端末は、前記ディスプレイにタッチパネルを具備して表示をスライドさせるフリック機能を有し、前記基本表示領域を固定した状態で、前記詳細表示領域の表示をスライドさせて未表示情報の表示を可能とすることを特徴とする請求項１乃至４の何れかに記載のナースコールシステム。
【発明の詳細な説明】
【技術分野】
【０００１】
本発明は、ナースコールシステムに関し、特に看護師が呼び出しに応答するために携行する携帯端末を備えて、ナースステーション以外の場所で患者からの呼び出しに容易に応答できるナースコールシステムに関する。
【背景技術】
【０００２】
従来より患者からの呼び出しに応答するために看護師が携行する携帯端末を具備したナースコールシステムがある。携帯端末を具備することで、患者からの呼び出しに対してナースステーションにいない看護師であっても患者からの呼び出しに対して速やかに応答することができるため、広く普及している。
この場合、携帯端末では呼出音を報音する際に、ナースコール子機の番号や呼出元の患者氏名等を表示するよう構成されていた（例えば、特許文献１参照）。
【先行技術文献】
【特許文献】
【０００３】
【特許文献１】特開２００２−２４７２１８号公報
【発明の概要】
【発明が解決しようとする課題】
【０００４】
しかしながら、従来のナースコールシステムでは、呼び出しを報音する携帯端末には上述したように患者の氏名等が表示される程度であるため、表示される患者情報は僅かであり、患者の食事制限や、手術日程、検査状況等を応答する際に確認することはできなかった。そのため、このような詳細情報を確認したい場合は、ナースステーションまで戻ってナースコール親機等で確認することになり、携帯端末で応答するメリットが十分発揮できていなかった。
【０００５】
そこで、本発明はこのような問題点に鑑み、呼び出しを受けた際に患者情報の詳細を携帯端末から得ることができるナースコールシステムを提供することを目的としている。
【課題を解決するための手段】
【０００６】
上記課題を解決する為に、請求項１の発明は、ベッド毎に設置されて患者が看護師を呼び出して通話するためのナースコール子機と、ナースステーションに設置されてナースコール子機からの呼び出しに応答するためのナースコール親機と、看護師が携行してナースコール子機からの呼び出しに応答するための複数の携帯端末と、ナースコール子機、ナースコール親機、携帯端末の間の通信を制御する制御機とを有するナースコールシステムにおいて、患者の氏名、性別、部屋番号、ベッド番号を含む基本情報と、患者の住所、電話番号、感染症情報、食事制限情報を含む詳細情報とから成る患者情報を記憶する患者情報記憶手段を有すると共に、制御機が、携帯端末と看護師を関連付けた携帯端末テーブル、及び看護師と患者を関連付けた担当看護師テーブルを記憶する看護師情報記憶部と、ナースコール子機が呼出操作されたら、ナースコール親機及び携帯端末に呼出信号を送信する呼出制御部とを有し、更に携帯端末が、基本情報を表示する基本表示領域と、詳細情報を表示する詳細表示領域とに分けて患者情報を表示するディスプレイを有し、呼出制御部は、呼出信号を受けて、呼出元のナースコール子機に関連付けられている携帯端末を看護師情報記憶部の情報から選択すると共に、呼出元のナースコール子機に関連付けられている患者情報を患者情報記憶手段から読み取り、選択した携帯端末に対して呼出信号及び読み取った患者情報を送信し、呼出信号を受信した携帯端末は、呼出通知動作を実施すると共に、ディスプレイに患者情報を表示することを特徴とする。
この構成によれば、呼出音の報音を行っている携帯端末には、呼出元の患者情報が詳細に表示されるため、看護師は応答する前に或いは応答中に携帯端末のディスプレイを見て呼出元の患者情報を入手できる。然も、患者の詳細な情報が表示されるため、知りたい情報をナースステーションまで戻ること無く把握することが可能となり、スムーズな対応に役立てることができる。また、詳細に表示されても基本情報と詳細情報とは分離されて表示されるため、多くの情報が表示されても目的とする情報を得やすい。
【０００７】
請求項２の発明は、請求項１に記載の構成において、詳細表示領域は第１領域と、第１領域より狭くピクトグラムを表示する第２領域とに分けて構成され、詳細情報のうちピクトグラムで記憶されている情報は一覧表示されることを特徴とする。
この構成によれば、ピクトグラム化した注意事項が一覧表示されるため、看護師は患者に対する注意事項を認識し易く、速やかに把握できる。
【０００８】
請求項３の発明は、請求項１又は２記載の構成において、個々の患者を撮像するためのカメラを具備すると共に、制御機がカメラとナースコール子機とを関連付けたカメラテーブル記憶部と、呼出信号を受けて呼出元のナースコール子機に関連付けられているカメラを選択して撮像映像を入手する映像制御部とを具備する一方、携帯端末は詳細表示領域にカメラ撮像映像を表示可能であって、ナースコール子機からの呼び出しを受けた後、応答者による所定の映像表示操作が成されたら、制御機からカメラ撮像映像を入手して詳細表示領域に表示することを特徴とする。
この構成によれば、呼び出しを受けた際に詳細情報に加えて患者の現在の状態を映像で見ることができるため、患者の元まで出かけること無く患者の状態を把握でき、スムーズな対応に役立てることができる。
【０００９】
請求項４の発明は、請求項１又は２記載の構成において、個々の患者を撮像するためのカメラを具備すると共に、制御機がカメラとナースコール子機とを関連付けたカメラテーブル記憶部と、ナースコール子機からの呼び出しを受けて呼出元のナースコール子機に関連付けられているカメラの撮像映像を入手する映像制御部とを具備する一方、ナースコール子機が、患者が呼出操作する呼出ボタンと、看護師が呼出操作するスタッフコールボタンとを備え、制御機の映像制御部は、スタッフコールボタンによる呼び出しを受けたら、呼出元のナースコール子機に関連付けられているカメラの撮像映像を入手して呼出先の携帯端末に送信し、呼び出しを受けた携帯端末は、呼出通知動作を実施すると共に受信したカメラの撮像映像を詳細表示領域に表示することを特徴とする。
この構成によれば、呼び出しがスタッフコールの場合、携帯端末にはナースコール子機に関連付けられている映像、即ち患者映像が呼出時に表示されるため、スタッフコールを受けた看護師は患者の現在の状況を把握でき、対処し易い。
【００１０】
請求項５の発明は、請求項１乃至４の何れかに記載の構成において、携帯端末は、ディスプレイにタッチパネルを具備して表示をスライドさせるフリック機能を有し、基本表示領域を固定した状態で、詳細表示領域の表示をスライドさせて未表示情報の表示を可能とすることを特徴とする。
この構成によれば、携帯端末のディスプレイに一度に表示できる情報量に制約があることで、確認したい情報がすぐに表示できない状態でも、表示をスライドさせて表示させることができ、スムーズに得たい情報を入手できる。しかも、スライド操作が成されても患者の氏名等の基本情報は表示を継続するため、看護師は安心してスライド操作できる。
【発明の効果】
【００１１】
本発明によれば、呼出音の報音を行っている携帯端末には、呼出元の患者情報が詳細に表示されるため、看護師は応答する前に或いは応答中に携帯端末のディスプレイを見て呼出元の患者情報を入手できる。然も、患者の詳細な情報が表示されるため、知りたい情報をナースステーションまで戻ること無く把握することが可能となり、スムーズな対応に役立てることができる。また、詳細に表示されても基本情報と詳細情報とは分離されて表示されるため、多くの情報が表示されても目的とする情報を得やすい。
【図面の簡単な説明】
【００１２】
【図１】本発明に係るナースコールシステムの一例を示す構成図である。
【図２】ナースコール親機の回路ブロック図である。
【図３】呼び出しを受けた携帯端末の表示を示す説明図である。
【図４】制御機の回路ブロック図である。
【図５】呼び出しを受けた携帯端末の表示を示す他の説明図である。
【図６】詳細情報の全体を示す説明図である。
【発明を実施するための形態】
【００１３】
以下、本発明を具体化した実施の形態を、図面を参照して詳細に説明する。図１は本発明に係るナースコールシステムの一例を示す構成図であり、１はベッド毎に設置されて患者が看護師を呼び出して通話するためのナースコール子機、２は各病室の出入口に設置されて患者からの呼出発生を報知する表示灯２ａと患者情報表示部２ｂとを備えた廊下灯、３はナースステーションに設置されて患者からの呼び出しを報知し、呼び出しに応答するためのナースコール親機、４は看護師が携行して患者からの呼び出しに応答するための携帯端末、５はナースコール子機１とナースコール親機３と携帯端末４の間の通信を制御する制御機、６はベッド毎に設置されて患者を撮像するためのカメラ、７は基地局８を介して携帯端末４と制御機５の間の通信を管理する交換機である。
【００１４】
廊下灯２、ナースコール親機３、制御機５、カメラ６はそれぞれＨＵＢ１０を介してＬＡＮ接続され、ナースコール子機１は病室毎に廊下灯２に伝送線Ｌ１を介して接続されている。また、交換機７は伝送線Ｌ２を介して制御機５に接続されている。
【００１５】
ナースコール子機１は、患者が操作する呼出握りボタン１ａと壁面に設置されたプレート子機１ｂを有し、プレート子機１ｂは呼出握りボタン１ａを接続するコネクタ１１、通話するためのマイク１２及びスピーカ１３、主に看護師が応援を呼ぶ際に操作するスタッフコールボタン１４、呼出動作をリセットする復旧ボタン１５を備えている。
呼出握りボタン１ａは、通常呼出を実施する呼出ボタン１６に加えて、点滴の終了を通知する点滴ボタン１７、トイレ介助を要求するトイレ介助ボタン１８等を備えている。
【００１６】
スタッフコールボタン１４は優先呼出ボタンであり、緊急時の呼び出しや患者の処置に応援を必要とする場合に使用され、この呼出信号（スタッフコール信号）は他の呼出信号より優先処理される。一方、点滴ボタン１７やトイレ介助ボタン１８は呼出ボタン１６による呼び出しより優先度が低く設定されている。
【００１７】
ナースコール親機３は、呼び出しに対する応答や放送するためのハンドセットや報音部を備えた通話部３ａ、各種情報を表示する表示部３ｂ、患者情報が一覧表示されたボード部３ｃ等を有している。
図２は、ナースコール親機３の主要部を回路ブロック図で示している。図２に示すように、表示部３ｂに表示する画像或いは映像を制御する映像処理部３２、表示部３ｂに組み付けられた操作部としてのタッチパネル３３、ナースコール親機３全体を制御する親機ＣＰＵ３４、通話部３ａで報音或いは通話部３ａから入力される音声信号を処理する音声処理部３５、ボード部３ｃの個々の患者情報表示部Ｍに設けられて呼出元を発光する通知灯３６、他のナースコール機器とＬＡＮ通信するための通信ＩＦ３７等を備えている。
【００１８】
携帯端末４は所謂スマートフォンが適用され、ディスプレイ４ａにはタッチパネルからなる操作部４ｂが具備されている。そして、ナースコール子機１からの呼出発生の通知（スタッフコール信号等）を受けたら呼出音を鳴動させて、同時に伝送された患者情報をディスプレイ４ａに表示させるアプリケーションソフトウェアがインストールされている。尚、４１は携帯端末４全体を制御する携帯端末ＣＰＵを示している。
【００１９】
図３は、携帯端末４の表示説明図であり、呼び出しを受けた携帯端末４に各種情報が表示された状態を示している。ディスプレイ４ａは、基本情報を表示する基本表示領域Ｅ１と詳細情報を表示する詳細表示領域Ｅ２に分割されて表示が行われ、詳細表示領域Ｅ２は、更にカメラ６の撮像映像等を表示する第１領域Ｅ２ａと、第１領域Ｅ２ａより小さく、主にピクトグラムから成る患者情報を表示する第２領域Ｅ２ｂとに分割して構成されている。
【００２０】
そして、インストールされたアプリケーションソフトウェアによりフリック機能を有し、この第１領域Ｅ２ａ及び第２領域Ｅ２ｂは、タッチパネル４ｂのスライド操作で表示しきれていない情報を順次表示可能となっている。更に、表示画像を左右双方に９０度回転させる機能を備えて、縦長のディスプレイ４ａを横長のディスプレイとして使用可能となっている。
尚、第１領域Ｅ２ａと第２領域Ｅ２ｂのスライド操作は独立して行うことができ、第１領域Ｅ２ａでは上下左右にスライド可能であるし、第２領域Ｅ２ｂでは上下にスライド可能に構成されている。
【００２１】
制御機５は、図４の回路ブロック図に示すよう構成されている。図４に示すように、携帯端末４と看護師を関連づけた携帯端末テーブル及び看護師と患者を関連付けた担当看護師テーブを記憶する看護師情報記憶部５１、ナースコール子機１とカメラ６との対応関係を記憶するカメラ情報記憶部５２、患者とナースコール子機１の関連付け情報及び患者の氏名や性別等の基本情報に加え、住所、電話番号、感染症、食事制限等の詳細情報を記憶する患者情報記憶部５３、機器間の通信及びカメラ６の撮像映像を制御すると共に制御機５全体を制御する制御機ＣＰＵ５４、他のナースコール機器とＬＡＮ接続する第１通信ＩＦ５５、交換機７と通信する第２ＩＦ５６等を備えている。
尚、患者情報記憶部５３に記憶されている患者情報には、文字情報に加えてピクトグラム表示するための図形情報がある。ピクトグラム情報は、予め設定されている複数のピクトグラム図形から選択されたものが詳細情報に記憶される。
【００２２】
上記の如く構成されたナースコールシステムの動作は以下のようである。最初に患者が呼出ボタン１６を操作して呼び出す動作を説明する。ナースコール子機１の呼出ボタン１６が操作されて呼び出しが成されると、呼出信号が廊下灯２に送信され、表示灯２ａが呼出発生を報知する所定の発光動作を実施し、患者情報表示部２ｂに呼出元の患者情報が表示される（詳述せず）。そして、病室番号情報、ベッド番号情報（ナースコール子機番号情報）から成る呼出元情報が呼出信号に添付されて制御機５に送信される。
【００２３】
廊下灯２から呼出信号を受信した制御機５は、制御機ＣＰＵ５４が呼出信号に添付された病室番号及びベッド番号を読み取って、カメラ情報記憶部５２から関連付けられているカメラ６を選択して起動し、撮像映像（以下、単に「映像」とする）を入手する。そして、入手した映像を、患者情報記憶部５３から読み取った呼出元の患者情報と共に、呼出信号に添付してナースコール親機３に送信する。
【００２４】
この呼出信号を受信したナースコール親機３は、親機ＣＰＵ３４の制御により、呼出音が報音され、呼出信号に添付されている患者情報が表示部３ｂに表示される。また、ボード部３ｃの対応する通知灯３６が点灯し、受信した映像が表示部３ｂに表示される。
【００２５】
一方、制御機ＣＰＵ３４は、呼出元情報に関連付けられている携帯端末４を看護師情報記憶部５１から選択する一方、患者情報記憶部５３から呼出元の患者情報を読み取り、呼出信号と共に呼出元の患者情報を選択した携帯態端末４に送信する。このとき送信される患者情報は、氏名等の基本情報だけでなく、患者の住所情報等の詳細情報も送信される。
呼出信号は、交換機７、基地局８を介して選択された携帯端末４に送信され、呼出信号を受信した携帯端末４は、呼出音が鳴動すると共にディスプレイ４ａ受信した患者情報を表示する。
【００２６】
図５は、このときの携帯端末４の表示説明図であり、第１領域Ｅ２ａには詳細情報が表示される。第１領域Ｅ２ａに表示可能な詳細情報の全体は、例えば図６に示すように構成されており、ディスプレイ４ａを上下左右にスライド操作すれば、表示されていない他の情報を閲覧できる。また、第２領域Ｅ２ｂもスライド操作（上下方向）することで、同様に表示から漏れているピクトグラム情報を確認することができる。
【００２７】
呼出報音を受けた機器による応答動作を次に説明する。呼出報音を受けて、ナースコール親機３の通話部３ａのハンドセットで応答操作すると、制御機ＣＰＵ５４がナースコール子機１とナースコール親機３との間の通話路を形成して通話が可能となる。こうして、看護師は患者情報及び患者映像で患者を確認して呼出元の患者と通話を実施できる。尚、ナースコール親機３による応答を受けて、制御機ＣＰＵ５４は携帯端末４に対して実施していた呼出信号の送信を終了させる。
【００２８】
一方、携帯端末４が所定の応答操作されると、応答信号が発信されて基地局８から交換機７を介して制御機５に送信される。この応答信号を受けた制御機５は、制御機ＣＰＵ５４がナースコール子機１と携帯端末４との間の通話路を形成して通話が可能となる。この結果、看護師は携帯端末４に表示されている患者情報を見ながら呼出ボタン１６を操作した患者と通話を実施できる。
【００２９】
尚、携帯端末４においても、所定の操作でカメラ６の撮像映像に切り替えて見ることができる。携帯端末４において所定の映像表示操作を行うと、映像取得信号が交換機７を介して制御機５に送信され、この信号を受けた制御機ＣＰＵ５４によりカメラ６から入手している映像が送信される。この映像は、詳細情報領域Ｅ２の第１領域Ｅ２ａに表示され、詳細情報がカメラ６の撮像映像に切り替わる。
【００３０】
このように、呼出音の報音を行っている携帯端末４には、呼出元の患者情報が詳細に表示されるため、看護師は応答する前に或いは応答中に携帯端末４のディスプレイ４ａを見て呼出元の患者情報を入手できる。然も、患者の詳細な情報が表示されるため、知りたい情報をナースステーションまで戻ること無く把握することが可能となり、スムーズな対応に役立てることができる。また、詳細に表示されても基本情報と詳細情報とは分離されて表示されるため、多くの情報が表示されても目的とする情報を得やすい。
また、携帯端末４はピクトグラムを表示する領域を有するため、ピクトグラム化した注意事項が一覧表示される。よって、看護師は患者に対する注意事項を認識し易く、速やかに把握でき、患者に対する好ましく無い対応を防止できる。
更に、携帯端末４が表示する患者詳細情報は、患者の映像に切り替えることができるため、患者の元まで出かけること無く患者の状態を把握でき、スムーズな対応に役立てることができる。
また、携帯端末４のディスプレイ４ａに一度に表示できる情報量に制約があることで、確認したい情報がすぐに表示できない状態でも、表示をスライドさせて表示させることができ、スムーズに得たい情報を入手できる。しかも、スライド操作が成されても患者の氏名等の基本情報は表示を継続するため、看護師は安心してスライド操作できる。
【００３１】
次に、スタッフコールボタン１４が操作された場合を説明する。ナースコール子機１のスタッフコールボタン１４が押下されると、ナースコール子機１から廊下灯２にスタッフコール信号が送信され、表示灯２ａがスタッフコールを示す所定の点灯動作を実施して報知動作すると共に、患者表示部２ｂに呼出元の患者名等の患者情報が表示される（詳述せず）。そして、廊下灯２において病室番号情報、ベッド番号情報（ナースコール子機番号情報）から成る呼出元情報がスタッフコール信号に添付されて制御機５に送信される。
【００３２】
廊下灯２からスタッフコール信号を受信した制御機５は、制御機ＣＰＵ５４がスタッフコール信号に添付されている病室番号及びベッド番号を読み取って、カメラ情報記憶部５２から関連付けられているカメラ６を選択して起動し、その撮像映像を入手する。また、患者情報記憶部５３から呼出元の患者情報を入手する。こうして入手した映像及び患者情報を、スタッフコール信号に添付してナースコール親機３に送信する。
更に、看護師情報記憶部５１、患者情報記憶部５３等を参照して、呼出元情報に関連づけられている携帯端末４に対して、呼出元の患者情報、及び映像が添付されたスタッフコール信号を送信する。この信号は、交換機７、基地局８を介して携帯端末４に送信される。
【００３３】
スタッフコール信号を受信したナースコール親機３は、親機ＣＰＵ３４の制御により呼出音が報音通知され、スタッフコール信号に添付されている呼出元の患者情報、及び映像が表示部３ｂに表示される。更に、ボード部３ｃの対応する患者の通知灯３６が点灯する。
また、スタッフコール信号等を受信した携帯端末４は、スタッフコール呼出を通知する所定の呼出音が鳴動すると共に、ディスプレイ４ａに患者情報及び患者の映像を表示する。上述した図３は、こうして患者情報及び映像をディスプレイ４ａに表示した携帯端末４を示している。
【００３４】
この呼び出しに対する応答動作は以下のようである。スタッフコール呼出音の報音を受けて、ナースコール親機３の通話部３ａのハンドセットで応答操作すると、制御機ＣＰＵ５４がナースコール子機１とナースコール親機３との間の通話路を形成して通話が可能となる。こうして、看護師は患者情報及び患者映像を見ながらスタッフコールボタン１４を操作した看護師と通話を実施できる。尚、ナースコール親機３による応答を受けて、制御機ＣＰＵ５４は携帯端末４に対して実施していた映像及びスタッフコール信号の送信を終了させる。
【００３５】
一方、携帯端末４で応答操作すると、基地局８、交換機７を介して制御機５が携帯端末４が発信した応答信号を受信し、制御機ＣＰＵ５４の制御によりナースコール子機１と携帯端末４との間の通話路が形成されて通話が可能となる。この結果、看護師は携帯端末４に表示されている患者情報及び映像により患者を確認しながらスタッフコールボタン１４を操作した看護師と通話を実施できる。
【００３６】
その後、応答したナースコール親機３或いは携帯端末４が終話操作されたら終話信号が制御機５に送信され、制御機ＣＰＵ５４は通話路を遮断すると共に、カメラ６の撮像を終了させる。
尚、携帯端末４から応答を受けて、制御機ＣＰＵ５７は他の携帯端末４及びナースコール親機３に対して実施していたスタッフコール信号及び患者情報、映像の送信を終了させる。
【００３７】
このように、呼び出しがスタッフコールの場合、携帯端末４にはナースコール子機１に関連付けられている映像、即ち患者映像が表示されるため、スタッフコール呼出を受けた看護師は、最初に患者の現在の状況を把握できるため、対処し易い。
【００３８】
尚、上記実施形態では、患者情報記憶部５３を制御機５に設けているが、ナースコール親機３に設けても良いし、システムにサーバーをＬＡＮ接続し、その中に設けても良い。
【符号の説明】
【００３９】
１・・ナースコール子機、３・・ナースコール親機、３ａ・・通話部、４・・携帯端末、４ａ・・ディスプレイ、４ｂ・・操作部、５・・制御機、６・・カメラ、１４・・スタッフコールボタン、３２・・映像処理部、３４・・親機ＣＰＵ、４１・・携帯端末ＣＰＵ（表示制御部）、４ａ・・ディスプレイ、４ｂ・・タッチパネル、５１・・看護師情報記憶部、５２・・カメラ情報記憶部、５３・・患者情報記憶部（患者情報記憶手段）、５４・・制御機ＣＰＵ（呼出制御部、映像制御部）、Ｅ１・・基本表示領域、Ｅ２・・詳細表示領域、Ｅ２ａ・・第１領域、Ｅ２ｂ・・第２領域。
【図１】
2014171191.tif 000003
【図２】
2014171191.tif 000004
【図３】
2014171191.tif 000005
【図４】
2014171191.tif 000006
【図５】
2014171191.tif 000007
【図６】
2014171191.tif 000008